(57)【要約】【課題】既存の浴槽を残したまま浴室内径寸法のサイズアップを図ることでき、浴槽の新造にかかる投資を抑制する。サイズアップ時に生じる既存の浴槽と浴槽パン側壁載せ部との間の隙間からの浸水と外観低下とを同時に防止する。【解決手段】浴槽８の第１の辺８ａと第２の辺８ｂに第１の壁パネル１と第２の壁パネル２とを載せる。浴槽８の第３の辺８ｃの外側に、浴槽パン９から立ち上げ形成されて第１の壁パネル１と対向する第３の壁パネル３を載せることのできる浴槽パン側壁載せ部７を配置する。対向する第１の壁パネル１と第３の壁パネル３との間の寸法が浴槽８の第１の辺８ａから第３の辺８ｃに至る寸法よりも幅広となるように、浴槽８の第３の辺８ｃと浴槽パン側壁載せ部７との間に隙間Ｓを形成すると共に、当該隙間Ｓを埋めるための隙間埋めカバー１１を浴槽８の第３の辺８ｃと浴槽パン側壁載せ部７との間に架け渡した浴槽ユニット１０である。【選択図】図１
2010273739.tif 000002
【特許請求の範囲】
【請求項１】
浴槽パン上に載置される浴槽の１辺を除く３辺が浴室の三方の壁パネルと対向するように配置される浴槽ユニットであって、上記浴槽の３辺のうち第１の辺とこれに隣接する第２の辺に、第１の壁パネルとこれに隣接する第２の壁パネルとを載せることのできる浴槽側壁載せ部をそれぞれ形成し、上記浴槽の第１の辺と対向する第３の辺の外側に、上記浴槽パンから立ち上げ形成されて上記第１の壁パネルと対向する第３の壁パネルを載せることのできる浴槽パン側壁載せ部を配置し、対向する第１の壁パネルと第３の壁パネルとの間の寸法が浴槽の第１の辺から第３の辺に至る寸法よりも幅広となるように浴槽の第３の辺と浴槽パン側壁載せ部との間に隙間を形成すると共に、当該隙間を埋めるための隙間埋めカバーを浴槽の第３の辺と浴槽パン側壁載せ部との間に架け渡してなることを特徴とする浴槽ユニット。
【発明の詳細な説明】
【技術分野】
【０００１】
本発明は、浴槽ユニットに関し、詳しくは浴槽回りの壁パネルを支持する浴槽及び浴槽パンを備えた浴槽ユニットに関するものである。
【背景技術】
【０００２】
従来から、浴槽と、浴槽載置部と洗い場部とが一体化された床パンとで構成された浴室ユニットにおいて、浴槽の洗い場側の１辺を除く３辺のそれぞれに壁パネルを載せることのできる壁載せ部を設けた構成が知られている（例えば、特許文献１参照）。
【先行技術文献】
【特許文献】
【０００３】
【特許文献１】特開２００８−１５６８１６号公報
【発明の概要】
【発明が解決しようとする課題】
【０００４】
ところで上記特許文献１に見られる従来例では、図５（ａ）に示すように、浴槽８の３辺８ａ,８ｂ,８ｃに壁パネル１〜３をそれぞれ載せているため、浴槽８を挟んで対向する壁パネル１,３間の寸法、つまり、浴室内径寸法Ａが浴槽８のサイズによって決まっていた。そのため、将来的なサイズアップ展開時においては、浴室内径寸法Ａを例えば図５（ａ）に示す１６００ｍｍ×１６００ｍｍから図５（ｂ）に示す浴室内径寸法Ｂ（１６５０ｍｍ×１６５０ｍｍ）にサイズアップする際は、１６５０ｍｍサイズの浴槽８´を新造し、既存の浴槽パン９Ａよりもひと回り幅広の浴槽パン９の内部に新造した浴槽８´を載置することで対応しており、リフォーム費用が高くなるという課題を有していた。
【０００５】
本発明は上記の従来の問題点に鑑みて発明したものであって、その目的とするところは、既存の浴槽を残したまま浴室内径寸法のサイズアップを図ることができ、浴槽の新造にかかる投資を抑制でき、そのうえサイズアップ時に生じる既存の浴槽と浴槽パン側壁載せ部との間の隙間からの浸水と外観低下とを同時に防止することができる浴槽ユニットを提供することにある。
【課題を解決するための手段】
【０００６】
前記の課題を解決するために、本発明は、浴槽パン９上に載置される浴槽８の１辺８ｄを除く３辺８ａ〜８ｃが浴室の三方の壁パネル１〜３と対向するように配置される浴槽ユニット１０である。上記浴槽８の３辺８ａ〜８ｃのうち第１の辺８ａとこれに隣接する第２の辺８ｂに第１の壁パネル１とこれに隣接する第２の壁パネル２とを載せることのできる浴槽側壁載せ部５,６を形成する。浴槽８の第１の辺８ａと対向する第３の辺８ｃの外側に、上記浴槽パン９から立ち上げ形成されて上記第１の壁パネル１と対向する第３の壁パネル３を載せることのできる浴槽パン側壁載せ部７を配置する。対向する第１の壁パネル１と第３の壁パネル３との間の寸法が浴槽８の第１の辺８ａから第３の辺８ｃに至る寸法よりも幅広となるように浴槽８の第３の辺８ｃと浴槽パン側壁載せ部７との間に隙間Ｓを形成すると共に、当該隙間Ｓを埋めるための隙間埋めカバー１１を浴槽８の第３の辺８ｃと浴槽パン側壁載せ部７との間に架け渡してなることを特徴としている。
【０００７】
このような構成とすることで、第１、第２の壁パネル１,２を浴槽８で支持し、第３の壁パネル３を浴槽パン９で支持することにより、浴槽８を挟んで対向する第１の壁パネル１と第３の壁パネル３間の寸法が浴槽８のサイズ（浴槽８の第１の辺８ａから第３の辺８ｃに至る寸法）によって制約されなくなり、しかも浴槽８の第３の辺８ｃと浴槽パン側壁載せ部７との間の隙間Ｓによって、既存の浴槽８を残したままで浴室内径寸法Ｂのサイズアップが可能となる。従って、浴槽８を新造する必要がなくなり、そのうえ隙間埋めカバー１１によって浴槽８の第３の辺８ｃと浴槽パン側壁載せ部７との間に生じる隙間Ｓが埋められるので、浴槽８からのオーバーフロー水や洗い水が当該隙間Ｓから浴槽パン９内部に流れ込むこともない。
【発明の効果】
【０００８】
本発明は、浴槽回りの壁パネルを浴槽と浴槽パンの一部とにより支持する構造により、既存の浴槽を残したままで浴室内径寸法のサイズアップが可能となるので、浴槽の新造にかかるリフォーム費用を削減できるものであり、さらにサイズアップ時に生じる既存の浴槽と浴槽パン側壁載せ部との間の隙間からの浸水及び外観低下を隙間埋めカバーによって防止できるものである。
【図面の簡単な説明】
【０００９】
【図１】本実施形態の浴槽と浴槽パンとで壁パネルを支持した浴槽ユニットを示し、（ａ）は（ｂ）のＭ部の拡大断面図であり、（ｂ）は浴槽ユニット全体の概略断面図である。
【図２】同上の浴槽ユニットと洗い場パンの分解斜視図である。
【図３】同上の隙間埋めカバーの図示を省略した浴槽と浴槽パン側壁載せ部の平面図である。
【図４】同上の浴槽パンと浴槽と隙間埋めカバーの分解斜視図である。
【図５】（ａ）は従来の１６００ｍｍサイズの浴槽で壁パネルを支持した概略断面図であり、（ｂ）は従来の１６５０ｍｍサイズの浴槽で壁パネルを支持した概略断面図である。
【発明を実施するための形態】
【００１０】
以下、本発明を添付図面に示す実施形態に基いて説明する。
【００１１】
本実施形態の浴槽ユニット１０は、図２に示すように、洗い場パン１２から分離した床ハーフ構造の浴槽パン９に浴槽８を載置して構成されている。なお図２中の４は洗い場側の壁パネルである。
【００１２】
浴槽８の出入りを行う１辺８ｄを除いた３辺８ａ〜８ｃのうち、第１の辺８ａとこれに隣接する第２の辺８ｂのリム面外周にリブ１３,１４がそれぞれ立設され、リブ１３,１４の内側に沿って第１の壁パネル１とこれに隣接する第２の壁パネル２とを載せることのできる浴槽側壁載せ部５,６が連続形成されている。ここで、第３の辺８ｃは壁載せ部として用いられず、第３の辺８ｃのリム面外周に設けられていた既存のリブは切除されている。
【００１３】
一方、浴槽パン９は、浴槽８よりもひと回り幅広に形成され、その底部に浴槽８が載置される。図４に示すように、浴槽パン９の洗い場側の１辺を除く３辺９ａ,９ｂ,９ｃには側壁１６〜１８が立ち上げられており、側壁１６〜１８のうち、浴槽８の第３の辺８ｃと対向する側壁１８の上端部のみに上部フランジ１９が設けられ、上部フランジ１９の外端部からリブ１５が立ち上げられており、上部フランジ１９の上面に第３の壁パネル３を載せることのできる浴槽パン側壁載せ部７が形成されている。浴槽パン側壁載せ部７は、図３に示すように、浴槽８の第３の辺８ｃから隙間Ｓをあけて第３の辺８ｃと平行に配置される。隙間Ｓは、対向する第１の壁パネル１と第３の壁パネル３との間の寸法（浴室内径寸法Ｂ）を浴槽８の第１の辺８ａから第３の辺８ｃに至る寸法よりも幅広にするためのものである。なお図３では後述する隙間埋めカバー１１の図示を省略している。
【００１４】
ここで、上記浴槽パン側壁載せ部７の上面には後述する隙間埋めカバー１１の固定部２３が載置され、固定部２３の上面が壁載せ面となっており、この高さＬ１は、図１に示すように、浴槽８の第３の辺８ｃのリム面と同じ高さラインＬとされ、これにより各壁パネル１,２,３の下端部の高さが同じ高さラインＬに揃えられている。また本例では、浴槽８の第３の辺８ｃと浴槽パン側壁載せ部７との間の隙間Ｓ寸法と、浴槽パン側壁載せ部７の幅寸法とを合わせたサイズアップ寸法Ｄを５０ｍｍに設定している。
【００１５】
上記浴槽８の第３の辺８ｃと浴槽パン側壁載せ部７との間には、図１に示すように、隙間埋めカバー１１が架け渡される。
【００１６】
隙間埋めカバー１１は、例えば防水性に優れたプラスチック製のフィラー材で形成されており、図４に示すように、浴槽８の第３の辺８ｃの全長寸法Ｅと同じ長さ寸法Ｅ１（図４）と、浴槽パン側壁載せ部７から浴槽８の第３の辺８ｃに跨って架け渡すことができる幅寸法Ｆ（図４）とを有している。隙間埋めカバー１１の幅方向Ｃの内側部（浴槽８側）には、隙間覆い部３１と、浴槽８の第３の辺８ｃのリム内縁面２０に引っ掛け係止される係止片２１とが設けられており、幅方向Ｃの外側部（浴槽パン９側）には、浴槽パン側壁載せ部７の上面に固定ネジ２２により固定される固定部２３が設けられている。隙間埋めカバー１１の固定部２３は覆い部３１の上面よりも段落ちしており、この段落ちした固定部２３の上面に第３の壁パネル３の下端部が載った状態でシーリング材３０（図１）にてシールされる。図１ではシーリング材３０の上端レベルを隙間埋めカバー１１の覆い部３１の上面と面一に連続するレベルとしている。
【００１７】
次に、浴室内径寸法Ｂを１６００ｍｍ×１６００ｍｍから１６５０ｍｍ×１６５０ｍｍにサイズアップする場合の一例を説明する。
【００１８】
工場では、既存の１６００ｍｍサイズの浴槽８の第１の辺８ａ及び第２の辺８ｂのリブ１３,１４はそのまま残し、第３の辺８ｃのリブのみを予めカットしておく。現場で、図４に示すように、既存の浴槽８を、これよりもひと回り幅広の浴槽パン９の内部に落とし込むと共に、図２に示すように、浴槽８の第１の辺８ａが浴槽パン９の側壁１６の上縁部に当接するまで浴槽８を片寄せ配置する。次いで、隙間埋めカバー１１の係止片２１を浴槽８の第３の辺８ｃのリム内縁面２０に引っ掛けた状態で、隙間埋めカバー１１の固定部２３を浴槽パン側壁載せ部７の上面に載せて固定ネジ２２（図１（ａ））で固定する。その後、第１〜第３の壁パネル１〜３を施工する。第１の壁パネル１を浴槽側壁載せ部５に載置し、第２の壁パネル２Ａを浴槽側壁載せ部６の片側半部に載置し、第２の壁パネル２Ｂを浴槽側壁載せ部６の他側半部から隙間埋めカバー１１の端部上面に跨って載置し、第３の壁パネル３を隙間埋めカバー１１の固定部２３の上面に載置する。その後、各壁パネル１,２Ａ,２Ｂ,３の下端部をシリコン等の軟質樹脂からなるシーリング材３０でそれぞれシールする。
【００１９】
しかして、上記第１及び第２の壁パネル１,２を浴槽８側で支持し、第３の壁パネル３を浴槽パン９側で支持することにより、浴槽８を挟んで対向する壁パネル１,３間の寸法、つまり浴室内径寸法Ｂが浴槽８のサイズに制約されることがない。しかも浴槽８の第３の辺８ｃと浴槽パン側壁載せ部７との間の隙間Ｓによって、既存の浴槽８を残したままで浴室内径寸法Ｂのサイズアップが可能となるので、図５（ｂ）に示したような新たな浴槽８´の新造が不要となり、投資を抑制できるものである。
【００２０】
しかも、隙間埋めカバー１１によって上記隙間Ｓを埋めているので、浴槽８からのオーバーフロー水や洗い水が当該隙間Ｓから浴槽パン９内部に流れ込むのを防止でき、そのうえ隙間Ｓによる外観低下も同時に防止できるものである。なお当該隙間Ｓの前方部分は、浴槽８の１辺８ｄ側に設けられる浴槽エプロン（図示せず）にて覆われる。
【００２１】
また本例の隙間埋めカバー１１は、係止片２１を浴槽８の第３の辺８ｃに係止させた状態で、固定部２３を浴槽パン側壁載せ部７にネジ固定しているので、ネジ止め箇所は浴槽パン側壁載せ部７に対してのみとなり、これにより浴槽８にはネジ固定するためのネジ孔や開口等を形成する必要がなく、既存の浴槽８をそのまま使用できる利点がある。しかも、隙間埋めカバー１１の固定部２３の上面に第３の壁パネル３を載せているので、第３の壁パネル３の重量によって隙間埋めカバー１１の取り付け強度をより高めることができ、長年使用時における隙間埋めカバー１１の位置ズレや剥がれ等の発生を確実に防止できる利点もある。
【００２２】
尚、前記実施形態では１６００ｍｍから１６５０ｍｍにサイズアップする場合を例に挙げたが、勿論この数値に限られるものではない。またサイズアップ寸法Ｄ（図１）も５０ｍｍに限られるものではなく、適宜に設定変更自在である。
【００２３】
本発明の浴槽ユニット１０は、洗い場パン１２から分離した床ハーフ構造の浴槽パン９に適用される以外に、浴槽パン９を洗い場パン１２と一体形成した大型床パン構造にも適用可能である。
【符号の説明】
【００２４】
１  第１の壁パネル
２  第２の壁パネル
３  第３の壁パネル
５,６  浴槽側壁載せ部
７  浴槽パン側壁載せ部
８  浴槽
８ａ  第１の辺
８ｂ  第２の辺
８ｃ  第３の辺
９  浴槽パン
１０  浴槽ユニット
１１  隙間埋めカバー
Ｓ  隙間
【図１】
2010273739.tif 000003
【図２】
2010273739.tif 000004
【図３】
2010273739.tif 000005
【図４】
2010273739.tif 000006
【図５】
2010273739.tif 000007